(57)【要約】【課題】仙骨と腸骨とを含む寛骨の歪み運動を正常化させることが可能な、歪み運動の矯正方法と、それに使用される歪み運動の矯正具とを提供する。【解決手段】着用者の腰部の正面側及び背面側の両方において第１弾性帯と第２弾性帯とが交差するように第１弾性帯及び第２弾性帯を着用者の腰部に装着して仙骨と寛骨の歪み運動（仙腸関節周辺の歪み運動）を矯正する方法であって、着用者の身体の右側及び左側のうちの一方側の上前腸骨棘の上と、前記右側及び左側の内の他方側の下後腸骨棘の上とを通過するように第１弾性帯を着用者の腰部に装着し、前記他方側の上前腸骨棘の上と、前記一方側の下後腸骨棘の上とを通過するように第２弾性帯を着用者の腰部に装着する仙骨と寛骨の歪み運動矯正方法である。【選択図】図４
2018198706.tif 000002
【特許請求の範囲】
【請求項１】
着用者の腰部の正面側及び背面側の両方において第１弾性帯と第２弾性帯とが交差するように第１弾性帯及び第２弾性帯を着用者の腰部に装着して仙骨と寛骨の歪み運動を矯正する方法であって、
着用者の身体の右側及び左側のうちの一方側の上前腸骨棘の上と、前記右側及び左側の内の他方側の下後腸骨棘の上とを通過するように第１弾性帯を着用者の腰部に装着し、
前記他方側の上前腸骨棘の上と、前記一方側の下後腸骨棘の上とを通過するように第２弾性帯を着用者の腰部に装着する仙骨と寛骨の歪み運動矯正方法。
【請求項２】
第１弾性帯と第２弾性帯とを備える仙骨と寛骨の歪み矯正具であって、第１弾性帯及び第２弾性帯は、細長い帯状であり、その中ほどにおいて交差した状態で固定されており、
第１弾性帯及び第２弾性帯のそれぞれの端部には、着用した状態において両者を環状にするための固定部が配されており、
歪み矯正具は、着用した状態において、着用者の腰部の正面側及び背面側の両方において第１弾性帯と第２弾性帯とが交差し、
第１弾性帯は、着用者の身体の右側及び左側のうちの一方側の上前腸骨棘の上と、前記右側及び左側の内の他方側の下後腸骨棘の上とを通過することができる形状であり、
第２弾性帯は、前記他方側の上前腸骨棘の上と、前記一方側の下後腸骨棘の上とを通過することができる形状である仙骨と寛骨の歪み運動矯正具。
【発明の詳細な説明】
【技術分野】
【０００１】
本発明は、仙骨と寛骨の歪み運動矯正方法及び仙骨と寛骨の歪み運動矯正具に関する。
【背景技術】
【０００２】
骨盤を強く締め付けて骨盤の歪みを矯正するベルトや下着などが知られている。
【０００３】
例えば、特許文献１には、上部骨盤押さえ布と、下部骨盤押え布と、これらの押え布の上に配される身生地とを有するガードルが記載されている。このガードルは、腰痛、肩こり、内蔵機能低下等の症状の治療と予防に効果を発揮するとされている。
【０００４】
また、特許文献２には、着用者の腰部の左右の上前腸骨棘突起から恥骨の上を通るように配置された緊締部と、大腿部を通るように配置された第２緊締部とを備えるスパッツが記載されている。腰部の緊結部によって、骨盤を内側に寄せて骨盤の開きを正しい位置に補正することができるとされている。
【０００５】
また、特許文献３には、着用者の腹部側では交差するように配置され、臀部側では臀部の下側と腰部とを通過するように略平行に配置された２本のベルトを備えるパンティガードルが記載されている。このパンティガードルによれば、ベルトによる引き締め力が増加し、骨盤矯正効果が高まるとされている。また、パンティガードルが前身頃の上方へずれることを防止することができるとされている。
【０００６】
また、特許文献４には、正面側及び背面側に交差部分を有するガードルが記載されている。このガードルでは、交差部分の根元が脚部の骨の大転子に当接して、足の付根近傍が内側に引っ張られるため、ビーナスウォークをすることができるようになるとされている。
【先行技術文献】
【特許文献】
【０００７】
【特許文献１】実用新案登録第３１０２７４２号公報
【特許文献２】特開２０１４−１８１４２６号公報
【特許文献３】特開２０００−１３５２３３号公報
【特許文献４】特許第４４４４３５９号公報
【発明の概要】
【発明が解決しようとする課題】
【０００８】
特許文献１ないし特許文献３のガードル等では、骨盤を強い力で内側に寄せるものと思われる。また、特許文献４のガードルは、足の付け根の大転子部分を身体の内側に寄せるようにするものである。
【０００９】
ヒトが歩行する際には仙骨と腸骨を含む寛骨の動きは、以下の４つの運動が複合したものとなる。１）仙骨基底が、身体の下方向に頷き、そして上方向に起き上がるいわゆる頷き動作を繰り返す運動。２）右脚又は左脚を前方に出す動作と連動して、前方に出された脚に対応する右側又は左側の腸骨が上方に上昇し、そして、下方に戻る運動。３）右脚又は左脚を前方に出す動作と連動して、前方に出された脚に対応する右側又は左側の腸骨が身体の前方向に略水平に旋回し、元の状態に戻る運動。４）右脚又は左脚を前方に出す動作と連動して、前方に出された脚に対応する右側又は左側の腸骨と座骨と恥骨とからなる寛骨が身体の背面側に後傾し、そして正面側に戻る運動。
【００１０】
上記１から４の仙骨と腸骨とを含む寛骨の動きに乱れが生じると、身体に不調をきたすようになる。本発明者が検討したところでは、特許文献１ないし４のような矯正具では、上記１から４の骨盤の動きを効果的に矯正することができなかった。
【００１１】
本発明は、仙骨と腸骨とを含む寛骨の歪み運動をより効果的に正常化させることが可能な、歪み運動の矯正方法と、それに使用される歪み運動の矯正具とを提供することを目的とする。
【課題を解決するための手段】
【００１２】
着用者の腰部の正面側及び背面側の両方において第１弾性帯と第２弾性帯とが交差するように第１弾性帯及び第２弾性帯を着用者の腰部に装着して仙骨と寛骨の歪み運動（仙腸関節周辺の骨の歪み運動）を矯正する方法であって、着用者の身体の右側及び左側のうちの一方側の上前腸骨棘の上と、前記右側及び左側の内の他方側の下後腸骨棘の上とを通過するように第１弾性帯を着用者の腰部に装着し、前記他方側の上前腸骨棘の上と、前記一方側の下後腸骨棘の上とを通過するように第２弾性帯を着用者の腰部に装着する仙骨と寛骨の歪み運動矯正方法により、上記の課題を解決する。
【００１３】
第１弾性帯と第２弾性帯とを備える仙骨と寛骨の歪み矯正具であって、第１弾性帯及び第２弾性帯は、細長い帯状であり、その中ほどにおいて交差した状態で固定されており、第１弾性帯及び第２弾性帯のそれぞれの端部には、着用した状態において両者を環状にするための固定部が配されており、歪み矯正具は、着用した状態において、着用者の腰部の正面側及び背面側の両方において第１弾性帯と第２弾性帯とが交差し、第１弾性帯は、着用者の身体の右側及び左側のうちの一方側の上前腸骨棘の上と、前記右側及び左側の内の他方側の下後腸骨棘の上とを通過することができる形状であり、第２弾性帯は、前記他方側の上前腸骨棘の上と、前記一方側の下後腸骨棘の上とを通過することができる形状である仙骨と寛骨の歪み運動矯正具によって、上記の課題を解決する。
【発明の効果】
【００１４】
本発明は、仙骨と腸骨とを含む寛骨の歪み運動をより効果的に正常化させることが可能な、歪み運動の矯正方法と、それに使用される歪み運動の矯正具とを提供することができる。
【図面の簡単な説明】
【００１５】
【図１】ヒトの骨格を示す正面図である。
【図２】ヒトの骨格を示す背面図である。
【図３】歪み運動矯正具の一例を示す図面である。
【図４】図３の歪み運動矯正具を着用した状態を示す正面図である。
【図５】図３の歪み運動矯正具を着用した状態を示す背面図である。
【図６】比較例に係る矯正具を示す図面である。
【発明を実施するための形態】
【００１６】
以下、図面を参照しながら、本発明の仙骨と寛骨の歪み運動を矯正する方法（以下、単に矯正方法という。）の一実施形態と、それに使用する仙骨と寛骨の歪み運動矯正具（以下、単に矯正具という。）の一実施形態を説明する。
【００１７】
図１及び図２は、人体の腰部と胸部の骨格を示す図である。図１に示したように、骨盤１１は左右の寛骨１２と、左右の寛骨１２の間に配される仙骨１３と、仙骨１３の先端に接続される尾骨１４とから構成される。仙骨１３と左右の寛骨１２とは、仙腸関節によって接続される。寛骨１２は、その上部に位置する腸骨１２１、その下部に位置する座骨１２２と、腸骨１２１と座骨１２２とを接続する恥骨１２３を含む。
【００１８】
寛骨１２には寛骨臼１２４が配されており、大腿骨１５の大腿骨頭１５１が嵌る。仙骨１３の上部には、腰椎１６が接続される。
【００１９】
腸骨１２１の上端部の前端側には上前腸骨棘と呼ばれる突起部が存在する。図１に示したように、着用者３の右側のものを右上前腸骨棘１２１ａと呼び、左側のものを左上前腸骨棘１２１ｂと呼ぶ。上前腸骨棘１２１ａ、１２１ｂと寛骨臼１２４との間の腸骨１２１の前側の縁部分には、下前腸骨棘と呼ばれる突起部が存在する。着用者３の右側のものを右下前腸骨棘１２１ｃと呼び、左側のものを左下前腸骨棘１２１ｄと呼ぶ。
【００２０】
腸骨１２１の上端部の後端側には上後腸骨棘と呼ばれる突起部が存在する。図２に示したように、着用者３の右側のものを右上後腸骨棘１２１ｅと呼び、左側のものを左上後腸骨棘１２１ｆと呼ぶ。上後腸骨棘１２１ｅ、１２１ｅと座骨１２２との間の腸骨１２１の後側の縁部分には、下後腸骨棘と呼ばれる突起部が存在する。着用者３の右側のものを右下後腸骨棘１２１ｇと呼び、左側のものを左下後腸骨棘１２１ｈと呼ぶ。
【００２１】
図３に本実施形態の矯正方法で使用する矯正具２を示す。この矯正具２は、細長い帯状の第１弾性帯２１と、同じく細長い帯状の第２弾性帯２２とを備える。両者は、その中ほどにおいて交差する状態で固定される。この矯正具２では、第１弾性帯２１と第２弾性帯２２とを重ね合わせた状態で、中ほどの重なり合った部分で両者が縫合されている。第１弾性帯及２１と第２弾性帯は、弾性を有する素材で構成する。例えば、天然ゴム又は合成ゴムを含む糸で構成した織布や編物などが挙げられる。
【００２２】
第１弾性帯２１及び第２弾性帯２２のそれぞれの端部には、着用状態において両者を環状にするための固定部２３が配されている。固定部２３としては、面ファスナー、バックル、釦などが挙げられる。本実施形態の矯正具２では、第１弾性帯２１の一方の端部に雄側の面ファスナーが設けられ、他方の端部に雌側の面ファスナーが設けられている。同様に、第２弾性帯２２の一方の端部に雄側の面ファスナーが設け、他方の端部に雌側の面ファスナーが設けられている。一方の端部においては、弾性帯の一方の面に面ファスナーが設けられ、他方の端部においては、弾性帯の他方の面に面ファスナーが設けれられる。図３では、弾性帯に隠れた固定具２３を破線で示した。固定具２３で、第１弾性帯２１を環状に固定し、第２弾性帯２２を環状に固定することで、図４及び５に示したように、着用者３の腰部に矯正具２を容易に装着することができる。
【００２３】
第１弾性帯２１は、着用者３の身体の右側及び左側の内の一方側の上前腸骨棘の上と、前記右側及び左側の内の他方側の下後腸骨棘の上とを通過することができる形状とされている。第２弾性帯２２は、前記他方側の上前腸骨棘の上と、前記一方側の下後腸骨棘との上を通過することができる形状とされている。着用者３の正面側及び背面側において、例えば、第１弾性帯２１に対する第２弾性帯がなす角度が１００〜１７０°となるように、第１弾性帯２１と第１弾性帯２１とを重ね合わせて固定するとそのような形状にすることができる。上記の角度は、１１５〜１５０°とすることがより好ましい。
【００２４】
本実施形態の矯正方法では、第１弾性帯２１及び第２弾性帯２２で、左右の腸骨を強く締め付けるようにするのではなく、左右の腸骨状の特定の骨棘を支えるように第１弾性帯２１と第２弾性帯２２を腰部に巻くことが好ましい。例えば、第１弾性２１帯及び第２弾性帯２２を着用した後の長さを、着用する前の長さで割り、得られた値に１００を乗じて求められる伸長率が３〜４０％とすることが好ましく、３〜２５％とすることがより好ましく、３〜１５％とすることが特に好ましい。これにより、腸骨及び寛骨の動きをより効率的に正常化させることが可能になる。
【００２５】
図４及び図５に示した例では、着用者３の左上前腸骨棘１２１ｂの上と、右下後腸骨棘１２１ｇの上とを通過するように第１弾性帯２１を着用者３に装着する。そして、着用者３の右上前腸骨棘１２１ａの上と、左下後腸骨棘１２１ｈの上とを通過するように第２弾性帯２２を着用者３に装着する。矯正具２は、着用者３の正面側と背面側とで交差する。なお、図４及び図５においては、一点鎖線で第１弾性帯２１を示し、実線で第２弾性帯２２を示した。
【００２６】
矯正具の構成を変更して上記の第１弾性帯２１と第２弾性帯２２の位置を入れ替えてもよい。すなわち、着用者３の右上前腸骨棘１２１ａの上と、左下後腸骨棘１２１ｈの上とを通過するように第１弾性帯２１を着用者３に装着し、着用者３の左上前腸骨棘１２１ｂの上と、右下後腸骨棘１２１ｇの上とを通過するように第２弾性帯２２を着用者３に装着することができる。
【００２７】
上述のように、第１弾性帯２１と第２弾性帯２２とで、左右の腸骨の各腸骨部分を支えることで、歪んでしまった仙骨１３と寛骨１１の運動を正常に矯正することができる。
【００２８】
上述の通り、仙骨１３と寛骨１１の運動は、以下の１から４の運動が複合したものである。すなわち、１）仙骨基底が、身体の下方向に頷き、そして上方向に起き上がるいわゆる頷き動作を繰り返す運動。２）右脚又は左脚を前方に出す動作と連動して、前方に出された脚に対応する右側又は左側の腸骨が上方に上昇し、そして、下方に戻る運動。３）右脚又は左脚を前方に出す動作と連動して、前方に出された脚に対応する右側又は左側の腸骨が身体の前方向に略水平に旋回し、元の状態に戻る運動。４）右脚又は左脚を前方に出す動作と連動して、前方に出された脚に対応する右側又は左側の腸骨と座骨と恥骨とからなる寛骨が身体の背面側に後傾し、そして正面側に戻る運動である。
【００２９】
仙骨１３と寛骨１１の各運動において、骨が回動する軸がずれたり、左半身と右半身で骨が回動する角度が異なったり、腸骨が上昇又は下降する際の変位量が左半身と右半身とで異なったりすると、身体に種々の悪影響が及び、各種の症状として顕在化する。本実施形態の矯正具２を、上記のように着用して、歩行することによって、一度歪んでしまった仙骨１３と寛骨１１の運動を正常な状態に戻すことができる。これによって、各種の症状を解消することが可能になる。
【００３０】
［実施例］
本発明の矯正方法の実施例を挙げてさらに具体的に説明する。
【００３１】
以下の実施例１に係る矯正方法と、比較例１に係る矯正方法を５０人の被検者に対して実施し、表１の評価項目１から１１の項目について症状の改善が認められたどうかについて、問診と検査により調べた。
【００３２】
［実施例１］
図３に示した矯正具の第１弾性帯２１が着用者３の左上前腸骨棘１２１ｂの上と右下後腸骨棘１２１ｇの上とを通過するようにし、第２弾性帯２２が着用者３の右上前腸骨棘１２１ａの上と左下後腸骨棘１２１ｈの上とを通過するように、各被検者に図３に示した矯正具を装着してもらい、その状態で１カ月間にわたって生活してもらった。第１弾性帯と第２弾性帯の伸長率が１０％となるようにした。
【００３３】
［比較例］
図６に示したように、着用者の正面側では弾性帯６１が着用者の腹部で交差し、着用者の背面側では弾性帯６１が臀部の下と腰部とをそれぞれ通過するように、弾性帯６１が配置された下着６を作製した。この下着を、各被検者に着用してもらい、その状態で１カ月にわたって生活してもらった。なお、図６において、着用者の背面側を通過する弾性帯は破線で示し、着用者の正面側で交差する弾性帯は実線で示した。
【００３４】
問診と検査の結果を表１に示す。表１では、各評価項目について改善が見られた者の人数を分子に記載し、被検者の総数を分母に記載した。なお、着用者の背面側と正面側の両方において弾性帯がＸ字状に交差するが、図６に示したのと同様に骨棘の上を通過しないようにしたものについても比較例と同程度の結果であった。
【００３５】
【表１】
2018198706.tif 000003
【００３６】
表１に示したように、実施例１に係る矯正具を使用した矯正方法では、比較例の下着を使用した矯正方法に比べて、試験番号１から１１のいずれの項目においても、改善効果が認められた被験者が多いことがわかる。特に試験番号１では、矯正前において、右肩に対して左肩の位置が下がっていたり、猫背であったりした被検者の姿勢が、矯正後において、姿勢が改善される者が多数に上ることが確認された。
【００３７】
表１の歩行サイクルとは、歩行周期のことである。初期接地、荷重応答期、立脚中期、立脚終期、前遊脚期間、遊脚初期、遊脚中期、遊脚終期、初期接地の順で繰り返される。被検者の大半において歩行サイクルの改善が見られた。このことから、本実施例の矯正方法を実施すれば、より多くの者に対して、仙骨と寛骨の運動を正常化することができることがわかる。
【００３８】
実施例１の矯正方法を実施すれば、頭痛、肩こり、腰痛、疲労感、便秘、生理痛、膝の痛みなど好ましくない諸症状について、従来よりも多くの者に対して改善効果が認められる。また、本実施例の矯正方法を実施すれば、従来よりも多くの者で、呼吸深度の改善効果が得られることがわかった。これに付随して基礎代謝が向上したためか、腹回りのたるみが改善したものが比較例と比較して増加した。以上の通り、実施例１の矯正具を使用した矯正方法によれば、比較例の下着を使用した矯正方法に比べて、効率的に仙骨と寛骨の運動を正常化して、好ましくない症状を改善することができる。
【符号の説明】
【００３９】
３          着用者
２          運動矯正具
２１        第１弾性帯
２２        第２弾性帯
１３        仙骨
１２        寛骨
１２１ａ    右上前腸骨棘
１２１ｂ    左上前腸骨棘
１２１ｃ    右下前腸骨棘
１２１ｄ    左下前腸骨棘
１２１ｅ    右上後腸骨棘
１２１ｆ    左上後腸骨棘
１２１ｇ    右下後腸骨棘
１２１ｈ    左下後腸骨棘
【図１】
2018198706.tif 000004
【図２】
2018198706.tif 000005
【図３】
2018198706.tif 000006
【図４】
2018198706.tif 000007
【図５】
2018198706.tif 000008
【図６】
2018198706.tif 000009
【手続補正書】
【提出日】平成30年6月18日(2018.6.18)
【手続補正１】
【補正対象書類名】特許請求の範囲
【補正対象項目名】全文
【補正方法】変更
【補正の内容】
【特許請求の範囲】
【請求項１】
第１弾性帯と第２弾性帯とを備え、下着を備えていない、仙骨と寛骨の歪み矯正具であって、第１弾性帯及び第２弾性帯は、細長い帯状であり、その中ほどにおいて交差した状態で固定されており、
第１弾性帯及び第２弾性帯のそれぞれの端部には、着用した状態において両者を環状にするための固定部が配されており、
歪み矯正具は、着用した状態において、着用者の腰部の正面側及び背面側の両方において第１弾性帯と第２弾性帯とが交差し、
第１弾性帯は、着用者の身体の右側及び左側のうちの一方側の上前腸骨棘の上と、前記右側及び左側のうちの他方側の下後腸骨棘の上とを通過することができる形状であり、
第２弾性帯は、前記他方側の上前腸骨棘の上と、前記一方側の下後腸骨棘の上とを通過することができる形状である仙骨と寛骨の歪み運動矯正具。
【手続補正書】
【提出日】平成30年8月30日(2018.8.30)
【手続補正１】
【補正対象書類名】特許請求の範囲
【補正対象項目名】全文
【補正方法】変更
【補正の内容】
【特許請求の範囲】
【請求項１】
第１弾性帯と第２弾性帯とを備え、下着を備えていない、仙骨と寛骨の歪み矯正具であって、第１弾性帯及び第２弾性帯は、細長い帯状であり、その中ほどにおいて交差した状態で縫合により固定されており、
第１弾性帯及び第２弾性帯のそれぞれの端部には、着用した状態において両者を環状にするための固定部が配されており、
第１弾性帯は、その一端部と他端部に配される固定部により環状に固定されるものであり、
第２弾性帯は、その一端部と他端部に配される固定部により環状に固定されるものであり、
歪み矯正具は、着用した状態において、着用者の腰部の正面側及び背面側の両方において第１弾性帯と第２弾性帯とが交差し、
第１弾性帯は、着用者の身体の右側及び左側のうちの一方側の上前腸骨棘の上と、前記右側及び左側のうちの他方側の下後腸骨棘の上とを通過することができる形状であり、
第２弾性帯は、前記他方側の上前腸骨棘の上と、前記一方側の下後腸骨棘の上とを通過することができる形状である仙骨と寛骨の歪み運動矯正具。